【手続補正書】
【提出日】平成20年5月1日(2008.5.1)
【手続補正１】
【補正対象書類名】特許請求の範囲
【補正対象項目名】全文
【補正方法】変更
【補正の内容】
【特許請求の範囲】
【請求項１】
ネットワーク上でクライアントが共有するファイルセットから構成される名前空間に関する情報を維持する方法であって、
少なくとも１つのゾーンに関するゾーン情報を維持するステップであって、各ゾーンが少なくとも１つのクライアントシステムと少なくとも１つのファイルセットと少なくとも１つの記憶プールとに対応付けられ、１つのゾーンに関して、対応付けした少なくとも１つのファイルセットと少なくとも１つの記憶プールが少なくとも１つのクライアントシステムからアクセス可能である、前記維持するステップと、
名前空間に含まれるファイルセットに関する情報をクライアントに提供するステップであって、複数のクライアントの各々がクライアントを含む少なくとも１つのゾーンにあるクライアントに対応付けられた少なくとも１つのファイルセットに関する情報を受け取る、前記提供するステップとを有する
前記方法。
【請求項２】
複数のゾーンに対応付けられる１つのクライアントが、対応付けられたゾーンにあるファイルセットと記憶プールにアクセスできる、請求項１の方法。
【請求項３】
クライアントが行う操作が、クライアントを含む少なくとも１つのゾーンにあるファイルセットと記憶プールに関するものに制限される、請求項１の方法。
【請求項４】
条件と条件が満たされる場合にファイルを格納する記憶プールを識別する１つのルールを受け取るステップと、受け取ったルールに識別される記憶プールが複数のゾーンに含まれるかどうかを判定するステップと、条件に規定されるファイルセットが受け取ったルールに識別される記憶プールを含む１つのゾーンに含まれていないという判定に応答して受け取ったルールを拒絶するステップとをさらに有する、請求項１の方法。
【請求項５】
ルール条件が少なくとも１つのクライアントを指示する方法であって、ルール条件に指示される少なくとも１つのクライアントが判定した複数のゾーンに含まれるかどうかを判定するステップと、少なくとも１つのクライアントが判定した複数のゾーンのひとつに含まれていないという判定に応答して、受け取ったルールを拒絶するステップとをさらに有する、請求項４の方法。
【請求項６】
条件がファイルセット、ファイルクラス、又はクライアントのうちの少なくとも１つを指示し、ファイル作成の要求が条件を満たす場合に条件が満たされる、請求項１の方法。
【請求項７】
サービスクラスがサービスレベルを記憶プールとゾーンに対応付けし、複数の記憶プールとゾーンを１つのサービスレベルに対応付けできる、請求項１の方法。
【請求項８】
１つのクライアントからのファイルを作成する要求を受け取るステップと、受け取った要求に適用できる１つのサービスクラスを規定するルールを判定するステップと、出された要求に適用されるゾーンにある規定のサービスクラスに含まれる少なくとも１つの記憶プールを判定するステップと、判定した少なくとも１つの記憶プールの領域に要求されるファイルを作成するステップとをさらに有する、請求項７の方法。
【請求項９】
ゾーン情報をクライアントと通信接続しているメタデータサーバで維持し、メタデータサーバがクライアントからアクセスできる名前空間に含まれるファイルセットに関する情報をクライアントに提供する方法であって、メタデータサーバが、１つのクライアントからのファイル作成要求を受け取るステップと、１つのルールがファイルを作成する少なくとも１つの記憶プールを指示するファイル作成要求に適用するかどうかを判定するステップと、１つのルールを適用するという判定に応答して、ルールに指示される少なくとも１つの記憶プールにある位置にファイルを作成するステップとをさらに行う、請求項１の方法。
【請求項１０】
少なくとも１つの記憶プールが少なくとも１つの記憶装置を有し、各記憶装置が１つの記憶プールに含まれるように制限される、請求項１の方法。
【請求項１１】
ゾーン情報を使って、クライアントの検出中に記憶プールへのクライアントの接続性を検証し、クライアントは、クライアントが検出を行ったクライアントを含むゾーンにある記憶プールのみにアクセスできる、請求項１の方法。
【請求項１２】
ネットワークでクライアントおよび記憶プールと通信接続しているシステムであって、
少なくとも１つのゾーンに関するゾーン情報を格納するコンピュータ読取可能媒体であって、各ゾーンが少なくとも１つのクライアントシステムと少なくとも１つのファイルセットと少なくとも１つの記憶プールとに対応付けされ、１つのゾーンに関して、対応付けられた少なくとも１つのファイルセットと少なくとも１つの記憶プールが少なくとも１つのクライアントシステムからアクセスできる、前記コンピュータ読取可能媒体と、
名前空間に含まれるファイルセットに関する情報をクライアントに提供するメタデータサーバであって、複数のクライアントの各々が、クライアントを含む少なくとも１つのゾーンのクライアントに対応付けられた少なくとも１つのファイルセットに関する情報を受け取る、前記メタデータサーバとを有する
前記システム。
【請求項１３】
メタデータサーバがさらに、条件と条件が満たされる場合にファイルを格納する記憶プールを識別する１つのルールを受け取り、受け取ったルールで識別される記憶プールが複数のゾーンに含まれるかどうかを判定し、条件に規定されるファイルセットが受け取ったルールで識別される記憶プールを含む１つのゾーンに含まれていないという判定に応答して受け取ったルールを拒絶する、請求項１２のシステム。
【請求項１４】
ルール条件が少なくとも１つのクライアントを指示し、メタデータサーバがさらに、ルール条件に指示された少なくとも１つのクライアントが判定した複数のゾーンに含まれているかどうかを判定し、少なくとも１つのクライアントが判定した複数のゾーンのひとつに含まれていないという判定に応答して受け取ったルールを拒絶する、請求項１３のシステム。
【請求項１５】
サービスクラスがサービスレベルを記憶プールとゾーンに対応付けし、複数の記憶プールとゾーンを１つのサービスレベルに対応付けできる、請求項１２のシステム。
【請求項１６】
メタデータサーバがさらに、１つのクライアントからのファイル作成の要求を受け取り、受け取った要求に適用できる１つのサービスクラスを規定するルールを判定し、出された要求に適用できるゾーンにある規定のサービスクラスに含まれる少なくとも１つの記憶プールを判定し、判定した少なくとも１つの記憶プールの領域に要求されるファイルを作成する、請求項１５のシステム。
【請求項１７】
データ処理装置の操作を制御するプログラムコードを有する、ネットワークでクライアントおよび記憶プールと通信接続しているコンピュータプログラムであって、
前記データ処理装置の操作が、少なくとも１つのゾーンに関するゾーン情報を維持するステップであって、各ゾーンが少なくとも１つのクライアントシステムと少なくとも１つのファイルセットと少なくとも１つの記憶プールとを対応付け、各ゾーンに関して、対応付けした少なくとも１つのファイルセットと少なくとも１つの記憶プールが少なくとも１つのクライアントシステムからアクセス可能である、前記維持するステップと、
名前空間に含まれるファイルセットに関する情報をクライアントに提供するステップで、複数のクライアントの各々がクライアントを含む少なくとも１つのゾーンにあるクライアントに対応付けられた少なくとも１つのファイルセットに関する情報を受け取る、前記提供するステップとを行う
前記コンピュータプログラム。